(57)【要約】      （修正有） 【課題】幟による広告効果を向上させ得る幟用の広告補助具を提供する。【解決手段】縦方向収容部１９と横方向収容部２１とを、第１の部材１１と第２の部材１２とを分離可能に合体することによって形成できる。縦方向収容部１９は、幟竿２の上部分１５を収容する幟竿収容部１６と、その上端に連なる如く設けられた、幟５の上部を支持する支持バー７が取り付けられてなる取付け具３を収容する取付け具収容部１７とを具える。横方向収容部２１は、支持バー７の中間部分２０を収容する。第１の部材１１と第２の部材１２とを分離することによって、縦方向収容部１９と横方向収容部２１を開放できる。第１の部材１１に広告表示部２２が形成されており、幟竿収容部１６は、上部分１５が幟竿収容部１６に収容された状態で上部分１５の軸線回りに回転できる。【選択図】図４
0003144983.tif 000002
【実用新案登録請求の範囲】
【請求項１】
幟竿の上端に設けられた取付け具に、幟の上部を支持する支持バーが取り付けられてなる幟装置に装着される幟用の広告補助具であって、
該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部が形成されていることを特徴とする幟用の広告補助具。
【請求項２】
幟竿の上端に設けられた取付け具に、幟の上部を支持する支持バーが取り付けられてなる幟装置に装着される幟用の広告補助具であって、
該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部が形成されており、前記幟竿収容部が、前記上部分が前記幟竿収容部に収容された状態で該上部分の軸線回りに回転できることを特徴とする幟用の広告補助具。
【請求項３】
幟竿の上端に設けられた取付け具に、幟の上部を支持する支持バーが取り付けられてなる幟装置に装着される幟用の広告補助具であって、
該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部材を保持する保持部が設けられていることを特徴とする幟用の広告補助具。
【請求項４】
幟竿の上端に設けられた取付け具に、幟の上部を支持する支持バーが取り付けられてなる幟装置に装着される幟用の広告補助具であって、
該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部材を保持する保持部が設けられており、前記幟竿収容部が、前記上部分が前記幟竿収容部に収容された状態で該上部分の軸線回りに回転できることを特徴とする幟用の広告補助具。
【請求項５】
前記幟竿収容部の内周面に、１２０度の角度ピッチで、上下方向に延長する支持突部が突設されており、該支持突部の先端が前記上部分の外周面に当接し得ることを特徴とする請求項１、２、３又は４記載の幟用の広告補助具。
【請求項６】
前記保持部は、前記広告表示部材を挟持状態に保持する一対の挟持片であることを特徴とする請求項３又は４記載の幟用の広告補助具。
【考案の詳細な説明】
【技術分野】
【０００１】
本考案は、幟による広告効果をより一層向上させるために用いる幟用の広告補助具に関するものである。
【背景技術】
【０００２】
図３２は、従来一般に使用されている幟装置ａを示すものであり、幟竿ｂの上端ｃに支持バー取付け具ｄを設け、幟ｅの上部ｆを支持する支持バーｇを、該支持バー取付け具ｄに設けられている挿通孔に挿通せしめ、該支持バーｇの中間部分を該支持バー取付け具ｄに固定するように構成されていた。かかる構成の幟装置ａは、前記幟竿ｂを、その下端部分ｋを台座ｍに挿通等して立設状態とすることにより該幟ｅによる広告を行うことができるものであった。
【０００３】
しかしながら、幟の大きさが限られたものであるために該幟ｅに盛り込める広告内容はそれ程多くないことから、時には、幟による広告効果をより向上させるための補助的な広告手段が求められていた。
【０００４】
このような要求に応えんとする補助的な広告手段として実用新案登録第３０５８７０８号公報が開示する広告手段がある。該広告手段は、図３３に示すように、幟竿ｐの上端頭部ｑに設けたネジ軸部ｓを、広告表示板ｔの下端に設けたネジ孔ｕに挿入し螺着することによって取り付ける構成のものであった。そのためには、図３２に示すような市販の一般的な幟竿ではなく、図３３に示すような、上端頭部ｑにネジ軸部ｓが設けられた特別な幟竿を用いざるを得ず、前記広告装置の製造コストの上昇を招く問題があった。又、該広告表示板ｔを幟竿ｐに固定する手段が、幟竿ｐの上端頭部ｑにネジ止めする手段であったため、広告表示板の取付状態が強度的に不安定であり、該広告表示板が強風を受けた場合等において該固定部分が破損する恐れがあった。
【０００５】
【特許文献１】実用新案登録第３０５８７０８号公報
【考案の開示】
【考案が解決しようとする課題】
【０００６】
本考案は、幟による広告効果を向上させ得る幟用の広告補助具の提供を課題とするものである。
【課題を解決するための手段】
【０００７】
前記課題を解決するため本考案は以下の手段を採用する。
即ち本考案に係る幟用の広告補助具（以下広告補助具という）は、幟竿の上端に設けられた取付け具に、幟の上部を支持する支持バーが取り付けられてなる幟装置に装着される幟用の広告補助具であって、該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部が形成されていることを特徴とするものである。
【０００８】
又、本考案に係る広告補助具の他の態様は、幟竿の上端に設けられた取付け具に、幟の上部を支持する支持バーが取り付けられてなる幟装置に装着される幟用の広告補助具であって、該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部が形成されており、前記幟竿収容部が、前記上部分が前記幟竿収容部に収容された状態で該上部分の軸線回りに回転できることを特徴とするものである。
【０００９】
又、本考案に係る広告補助具のその他の態様は、幟竿の上端に設けられた取付け具に、幟の上部を支持する支持バーが取り付けられてなる幟装置に装着される幟用の広告補助具であって、該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、該第１の部材と該第２の部材とを分離することによって前記縦方向収容部と前記横方向収容部を開放できると共に、該第１の部材と該第２の部材との協働によって、又はその一者によって、広告表示部材を保持する保持部が設けられていることを特徴とするものである。
【００１０】
又、本考案に係る広告補助具のその他の態様は、幟竿の上端に設けられた取付け具に、幟の上部を支持する支持バーが取り付けられてなる幟装置に装着される幟用の広告補助具であって、該幟竿の上部分を収容する下端開放の幟竿収容部と、該幟竿収容部の上端に連なる如く設けられた、前記取付け具を収容する取付け具収容部とからなる下端開放の縦方向収容部と、前記支持バーの中間部分を収容する横方向収容部とを、第１の部材と第２の部材とを分離可能に合体することによって形成でき、第１の部材と第２の部材とを分離することによって前記縦方向収容部と前記横方向収容部を開放できると共に、該第１の部材と該第２の部材との協働によって、又はその一者によって、広告表示部材を保持する保持部が設けられており、前記幟竿収容部が、前記上部分が前記幟竿収容部に収容された状態で該上部分の軸線回りに回転できることを特徴とするものである。
【００１１】
前記各広告補助具において、前記幟竿収容部の内周面に、１２０度の角度ピッチで、上下方向に延長する支持突部を突設し、該支持突部の先端が前記上部分の外周面に当接し得る如く構成するのがよい。
【００１２】
広告補助具が前記保持部を有する場合、該保持部は、前記広告表示部材を挟持状態に保持する一対の挟持片を以って構成するのがよい。
【考案の効果】
【００１３】
本考案は以下の如き優れた効果を奏する。
(1) 本考案に係る広告補助具は、幟装置を構成する幟竿の上端側の部分に装着されるものであるため、幟による広告効果と該広告補助具による広告効果の相乗効果によって、幟による広告で表現しきれない部分を補って幟による広告効果をより一層向上させることができる。
【００１４】
(2) 本考案に係る広告補助具は、幟竿の上端部分を収容する下端開放の幟竿収容部と、該幟竿収容部の上端に連なる如く設けられた、支持バーの取付け具を収容する取付け具収容部とからなる縦方向収容部と、該支持バーの中間部分を収容する横方向収容部とを、第１の部材と第２の部材とを分離可能に合体することによって形成する構成を採用している。従って該広告補助具は、幟竿の上端側の部分に、構造的に頑丈に取り付けられることになる。又、分離可能な第１の部材と第２の部材とを用いて構成されるため、広告補助具を幟竿から容易に分離でき、付け替えが可能である。
又、前記幟竿収容部に幟竿の上部分が挿通状態となされるため、幟の上部を支持する支持バーが幟竿の軸線回りに回転する場合は、該支持バーの回転に伴い広告補助具も回転でき、動きのある広告補助具によって広告効果を向上させ得る。
【００１５】
(3) 本考案に係る広告補助具が、広告表示部材を着脱可能に保持し得る保持部を具える如く構成される場合は、幟に合わせて所要の広告表示部材を選択して保持させることができるため、幟による広告効果と広告補助具による広告効果の相乗効果を一層向上させることができる。
【００１６】
(4) 幟竿収容凹部の内周面に、１２０度の角度ピッチで支持突部を突設するときは、該支持突部の先端が前記幟竿の上部分の外周面に軽く接触した状態となし得、これにより広告補助具１は、該上部分の軸線回りに接触面積を小さくして円滑に回転できることになる。
【実施例１】
【００１７】
図１〜３において本考案に係る広告補助具１は、幟竿２の上端に設けられた、例えば円柱状を呈する取付け具３に、幟５の上部６を支持する支持バー７が取り付けられてなる幟装置９の該幟竿２の上端側の部分１０に装着されるものであり、分離可能に合体し得る第１の部材１１と第２の部材１２とを具える。そして該第１の部材１１と該第２の部材１２とを合体することにより、図４に示すように、前記幟竿２の上部分１５を収容する下端開放の幟竿収容部１６と、該幟竿収容部１６の上端に連なる如く設けられ且つ前記取付け具３を収容する取付け具収容部１７とからなる下端開放の縦方向収容部１９を形成できると共に、前記支持バー７の中間部分２０を収容でき且つ前記縦方向収容部１９に連通し得る横方向収容部２１を形成できる。又、該第１の部材１１に広告表示部２２が設けられている。そして、該第１の部材１１と該第２の部材１２を分離することによって、前記縦方向収容部１９と前記横方向収容部２１を開放状態となし得る。以下、これを具体的に説明する。
【００１８】
前記第１の部材１１は、例えば図３、図５に示すように、合成樹脂で一体成形されており、上に凸の半円板状を呈する広告表示板２２ａとしての広告表示部２２の下端中央部分に矩形板状の突出板２３が下設されており、該突出板２３と該広告表示板２２ａの下側中央部分２５とに亘る部分の左右方向中央部分が、その一面２６が他面２７（図５）側に向けて所要に凹まされることによって、前記縦方向収容部１９の半割り状部分２９が形成されている。
【００１９】
該半割り状部分２９の下側の部分３０は、図３に示すように、前記幟竿２の上部分１５の、周方向で見た半分強の部分３２（図６）を余裕を持って嵌め入れることのできる下端開放の幟竿収容凹部３３（図３）を有している。本実施例においては、図３、図６に示すように、該幟竿収容凹部３３の内面８３の左右両側に、１２０度の角度をおいて、該幟竿収容凹部３３の上下全長に亘る如く、突出量の小さい支持突部３５，３５が突設されている。
【００２０】
又、図３〜図４、図６に示すように、該幟竿収容凹部３３の上端に連なる如く、前記取付け具３の半分強の部分３６を余裕を持って嵌め入れることができ且つ上端が頂部覆い片３７で覆われてなる取付け具収容凹部３９が、水平面内で拡大する半円弧状の段差面４０を介して連設されている。
【００２１】
又、前記突出板２３の上部分に、前記広告表示板２２ａの下縁に沿う状態で、前記支持バー７の中間部分２０を完全に収容するための左右の横方向収容凹部４１，４１が水平方向に延長する状態で形成されており、該左右の横方向収容凹部４１，４１は、前記取付け具収容凹部３９に連通されている。
【００２２】
このようにして前記半割り状部分２９が形成されることにより、図３に示すように、前記幟竿収容凹部３３と、前記取付け具収容凹部３９と、前記横方向収容凹部４１，４１の周辺に、垂直な当接面４２が形成されている。又、該当接面４２の左右の側縁部４３，４３に、前記横方向収容凹部４１，４１の上下に位置させて、係合突部４５，４５、４５，４５が突設されている。該係合突部４５は例えば図７（Ａ）に示すように、間隔を置いて左右対向状態で突設された首部４６の先端に、左右の外面４７，４７が四分割の球面状を呈し且つ前記当接面４２との対向面が係合面４９とされた係合頭部５０，５０が突設されてなり、両係合頭部５０，５０は、図７（Ｂ）に示すように、前記当接面４２に向けて見たときに外周縁５１が円形状を呈している。そして、前記広告表示板２２ａの一面２６と他面２７の内、該一面２６と他面２７の中央部分の下側の横長矩形状部分５２，５２（図８において一点鎖線で囲んだ部分）を除いた部分が、広告シール片５３を貼着するための広告表示面５５，５５とされている。そして本実施例においては、前記広告表示板２２ａの該一面２６と他面２７の夫々の下縁には、図２〜３、図５、図８に示すように、その全長に亘って小幅の水平な位置決め下突部５６が突設されると共に、該位置決め下突部５６の左右端には、前記広告表示板２２ａの半円弧縁５７の下端部分に沿う如く、位置決め側部突部５９，５９が突設されている。
【００２３】
又、前記第２の部材１２は、例えば図３、図９に示すように、合成樹脂で一体成形されており、横長矩形板状を呈する板状片６０の左右方向中央部分が、その一面（前記第１の部材１１の前記一面２６と向き合う面）６１が他面６２側に向けて所要に凹まされることによって、前記縦方向収容部１９のもう一方の半割り状部分６３が形成されている。
【００２４】
該半割り状部分６３の下側の部分６５は、図９に示すように、前記幟竿の上部分１５の、周方向で見た半分弱の部分６６（図６）を余裕を持って嵌め入れることのできる下端開放の幟竿収容凹部６７を有している。本実施例においては、該幟竿収容凹部６７の内面８５の底部に、該幟竿収容凹部６７の上下全長に亘る如く突出量の小さい支持突部３５が突設されている。
【００２５】
又、図３〜図４、図９に示すように、該幟竿収容凹部６７の上端に連なる如く、前記取付け具３の半分弱の部分６９を余裕を持って嵌め入れることができ且つ上端が頂部覆い片７０で覆われてなる取付け具収容凹部７１が、水平面内で拡大する半円弧状の段差面７２を介して連設されている。
【００２６】
このようにして前記半割り状部分６３が形成されることにより、該半割り状部分６３の周辺に、垂直面をなす当接面７３が形成されている。又図３、図９に示すように、左右の側縁部７５，７５の上下に位置させて、前記係合突部４５，４５、４５，４５と係合し得る係合孔７６，７６、７６，７６が設けられている。該係合孔７６は、図３、図９に示すように、前記係合突部４５を嵌め入れるための大径孔７７の上部に、前記首部４６を導入させるための小径孔７９が連設されたダルマ形孔として形成されている。
【００２７】
然して図１０（Ａ）（Ｂ）に示すように、該第２の部材１２を前記第１の部材１１の一面２６側において、該第２の部材１２を、その上下左右の四隅の係合孔７６，７６，７６，７６の前記大径孔７７，７７，７７，７７に前記係合突部４５，４５，４５，４５を嵌め入れた状態で該第１の部材１１に重ね合わせる。これによって、該第１の部材１１と該第２の部材１２の一面（内面）２６，６１相互が当接状態となる。その後、図１０（Ａ）（Ｂ）に矢印で示すように、該第２の部材１２を第１の部材１１に対して下方向にスライドさせると、図１０（Ｃ）（Ｄ）、図７（Ｃ）に示すように、前記係合孔７６の前記小径孔７９の周縁部分８０（図７（Ｃ））が前記係合突部４５の前記係合面４９に圧接された状態となり、これにより、該第２の部材１２が該第１の部材１１に固定状態となる。そしてこの状態で、前記左右の横方向収容凹部４１，４１の開放端８１，８１が該第２の部材１２，１２の左右の縁部分７５，７５によって覆われた状態となる。
【００２８】
このようにして第２の部材１２が第１の部材１１に固定された状態で、下端開放の前記縦方向収容部１９と水平方向に延長する前記横方向収容部２１が形成される。
【００２９】
かかる構成を有する第１の部材１１と第２の部材１２とを用いて、幟竿２の上端側の部分１０（図３）に広告補助具１を取り付けるに際しては、先ず図１１に示すように、前記第１の部材１１の前記幟竿収容凹部３３に前記幟竿２の上部分１５の半分強の部分３２を嵌め入れると共に、前記取付け具３の半分強の部分３６を前記取付け具収容凹部３９に嵌め入れる。このように嵌め入れた状態で、該幟竿２の上部分１５の一部（半分弱の部分）６６と前記取付け具３の一部（半分弱の部分）６９が該取付け具収容凹部３９から突出状態になる。その際に、前記支持バー７の、該取付け具３の両側に突出する部分７ａ，７ａを前記横方向収容凹部４１，４１に嵌め入れる。その後、図１２に示すように、前記第２の部材１２を、その大径孔７７，７７，７７，７７に前記係合突部４５，４５，４５，４５を嵌め入れて、該第２の部材１２の一面（内面）６１を該第１の部材１１の一面（内面）２６に当接させる。この状態で、前記第２の部材１２の前記幟竿収容凹部６７に前記支柱の上部分１５の半分弱の部分６６が嵌め入れられると共に、前記取付け具３の半分弱の部分６９が前記取付け具収容凹部７１に嵌め入れられた状態となる。
【００３０】
その後、該第２の部材１２を図１２に矢印で示すように下方向にスライドさせると、図１３に示すように、前記首部４６，４６，４６，４６が前記小径孔７９，７９，７９，７９内に存した状態となり、前記のように第２の部材１２が第１の部材１１に固定された状態となる。この状態で、図６に示すように、前記幟竿収容凹部３３，６７の内面８３，８５が周方向に連続した状態となると共に、図１４に示すように、前記取付け具収容凹部３９，７１の内面８６，８７が周方向に連続した状態となる。そして、前記のように、左右の横方向収容凹部４１，４１が該第２の部材１２で覆われた状態となる。これらにより、図４に示すように、前記幟竿収容部１６と、前記取付け具収容部１７と、前記横方向収容部２１とが、前記第１の部材１１と前記第２の部材１２とで形成されることになる。なお本実施例においては、前記取付け具３の大きさに大小があることに鑑み、この大小に応じ得るように前記取付け具収容部１７の大きさを設定している関係上、図４においては、該取付け具収容部１７に該取付け具３を収容した状態でやや遊びが形成されている。
【００３１】
そして、幟竿の上部分１５の外周面８９は、図６に示すように、略１２０度の角度ピッチで突設された前記支持突部３５，３５，３５の先端８８，８８，８８に略当接し得る状態となり、これにより広告補助具１が、風に吹かれて該上部分１５の軸線回りに回転できる。
【００３２】
前記広告表示板２２ａの前記一面２６と他面２７の内、その中央部分の下側の横長矩形状部５２，５２（図８）を除いた部分が、広告シール片５３を貼着するための広告表示面９３，９３とされている。そして本実施例においては、前記広告表示板２２ａの該一面２６と他面２７の夫々の下縁には、前記のように、その全長に亘って小幅の水平な位置決め下突部５６が突設されると共に、該位置決め下突部５６の左右端には、前記広告表示板２２ａの半円弧縁５７の下端縁に沿う如く下位置決め側部突部５９，５９が突設されている。
【００３３】
このように構成された広告補助具１の前記広告表示板２２ａの一面２６と他面２７に、例えば図１５に示すように、その半円弧縁に沿う半円形状を呈し且つ下端部の中央部分に横長矩形状の欠切部９９が設けられてなる広告シール片５３，５３が貼着される。この際、同図に示すように、広告シール片５３の下縁１０１を前記位置決め下突部５６の上縁９５に沿わせると共に、その半円弧縁１０２の左右の下端部分１０３，１０３を前記位置決め側部突部５９，５９の内側縁９７に沿わせれば、広告シール片５３，５３を正しく綺麗に貼着できる。この広告シール片５３の貼着は、広告補助具１を幟竿の上端部分に取り付けるに先立って貼り付けておけばよい。
【００３４】
広告補助具１を取り外す際は、図１３に矢印で示すように前記第２の部材１２を上方向にスライドさせ、各係合突部４５を各大径孔７７内に位置させて、図１２に示すと同様の状態とする。これにより第２の部材１２を第１の部材１１から取り外すことができ、第１の部材１１を幟竿の上端側の部分１０から取り外すことができる。
【００３５】
かかる構成の広告補助具１は、図４に示すように、縦方向収容部１９に前記取付け具３と前記幟竿の上部分１５を収容することとし、且つ、前記横方向収容部２１に前記支持バー７の中間部分２０を収容する構成を採用するため、該広告補助具１は幟竿の上端側の部分に構造的に頑丈に取り付けられることになる。
【００３６】
又、かかる構成の広告補助具１によるときは、該広告補助具１が前記支持バー７を介して前記取付け具３と一体化されており（多少の遊びはある）、しかも、前記幟竿収容部１６に前記幟竿の上部分１５が挿通された状態にある。そのため、幟５が風を受けて支持バー７が幟竿２の軸線回りに回転するに伴い、該支持バー７と一体化されている広告補助具１が幟竿２の軸線回りに回転できる。なお本実施例においては、前記のように、幟竿収容部１６の内面に１２０度の角度ピッチで３個の支持突部３５，３５，３５が設けられているため、該広告補助具１は、図６に示すように、該支持突部３５，３５，３５の先端８８，８８，８８が前記上部分１５の外周面８９に軽く接触した状態で、該上部分１５の軸線回りに接触面積を小さくして円滑に回転できる。
【００３７】
該広告補助具１の前記広告表示部２２は、幟５による広告で表現しきれない部分を補うために使用されるものであり、例えば図１５に示すように、金額の表示をしたり場所の表示をしたりするため等に利用される。このように広告補助具１が、幟竿２の軸線回りに回転できる動きを伴うため、より印象的な広告補助作用が得られることになり、幟による広告効果を一層向上させることができる。
【実施例２】
【００３８】
図１６〜２２は、広告補助具１の他の実施例を示すものであり、前記第１の部材１１は、左右方向に長く形成される共に左右の先側部分１０４，１０４が先細に形成されてなる水平板部１０５の左右方向の中央部分１０６に、例えば正方形板状の垂直板部１０７が下設されており、該垂直板部１０７の左右方向中央部分が、その一面１０９が他面１１０側に向けて所要に凹まされることによって、前記と同様構成の縦方向収容部１９（図１６、図１９）の半割り状部分２９が形成されている。該半割り状部分２９の下側の部分は、図１９に示すように、前記幟竿２の上部分１５の、周方向で見た半分強の部分３２を余裕を持って嵌め入れることのできる下端開放の幟竿収容凹部３３として形成されている。本実施例においては、図１７、図２０に示すように、該幟竿収容凹部３３の内面８３の左右両側に、１２０度の角度をおいて、該幟竿収容凹部３３の上下全長に亘る如く突出量の小さい支持突部３５，３５が突設されている。
【００３９】
又、図１７、図１９に示すように、該幟竿収容凹部３３の上端に連なる如く、前記取付け具３の半分強の部分１５（図１９）を余裕を持って嵌め入れることができ且つ上端が頂部覆い片３７で覆われてなる取付け具収容凹部３９が、水平面内で拡大する半円弧状の段差面４０を介して連設されている。
【００４０】
又、前記垂直板部１０７の上下方向の中央部に、前記水平板部１０５の直下に位置させて、前記支持バー７の中間部分２０を完全に収容するための左右の横方向収容凹部４１，４１が水平方向に延長する状態で形成されており、該左右の横方向収容凹部４１，４１は、前記取付け具収容凹部３９に連通されている。
【００４１】
このようにして前記半割り状部分２９が形成されることにより、図１７に示すように、該半割り状部分２９及び該横方向収容凹部４１の周辺に、垂直な当接面４２が形成されている。又、該当接面４２の左右の側縁部４３，４３に、前記横方向収容凹部４１，４１の上下に位置させて、係合突部４５，４５，４５，４５が突設されている。該係合突部４５は例えば図７（Ａ）に示すと同様に、間隔を置いて左右対向状態で突設された首部４６の上端に、左右の外面４７，４７が四分割の球面状を呈し且つ前記当接面４２との対向面が係合面４９とされた係合頭部５０，５０が突設されてなり、両係合頭部５０，５０は、前記当接面４２に向けて見たときに外周縁５１が円形状を呈している。
【００４２】
又、前記第２の部材１２は前記実施例１における場合と同様に構成されており、図１７、図１９〜２１に示すように、正方形板状を呈する板状片６０の左右方向中央部分が、その一面（前記第１の部材の前記一面１０９と向き合う面）６１が他面６２側に向けて所要に凹まされることによって、前記縦方向収容部１９のもう一方の半割り状部分６３が形成されている。該半割り状部分６３の下側の部分６５は、図１９に示すように、前記幟竿の上部分１５の、周方向で見た半分弱の部分６６を余裕を持って嵌め入れることのできる下端開放の幟竿収容凹部６７を有している。本実施例においては、図２０〜２１に示すように、該幟竿収容凹部６７の内面８５の底部に、該幟竿収容凹部６７の上下全長に亘る如く突出量の小さい支持突部３５が突設されている。
【００４３】
又、図１９〜２１に示すように該幟竿収容凹部６７の上端に連なる如く、前記取付け具３の半分弱の部分６９（図２０）を余裕を持って嵌め入れることができ且つ上端が頂部覆い片７０で覆われてなる取付け具収容凹部７１が、水平面内で拡大する半円弧状の段差面７２を介して連設されている。
【００４４】
このようにして前記半割り状部分６３が形成されることにより、該半割り状部分６３の周辺に、垂直な当接面７３が形成されている。又図２１に示すように、左右の側縁部７５，７５の上下に位置させて、前記係合突部４５，４５，４５，４５と係合し得る係合孔７６，７６，７６，７６が設けられている。該係合孔７６は、図２１に示すように、前記係合突部４５を嵌め入れるための大径孔７７の上部に、前記首部４６を導入させるための小径孔７９が連設されたダルマ形孔として形成されている。
【００４５】
然して図１０（Ａ）（Ｂ）に示すと同様にして、該第２の部材１２を前記第１の部材１１の一面１０９側において、該第２の部材１２を、その上下左右の四隅の係合孔７６，７６，７６，７６の前記大径孔７７，７７，７７，７７に前記係合突部４５，４５，４５，４５を嵌め入れた状態で該第１の部材１１に重ね合わせる。これによって、該第１の部材１１と該第２の部材１２の一面（内面）１０９，６１相互が当接状態となる。その後、図１０（Ａ）（Ｂ）に矢印で示すと同様に、該第２の部材１２を第１の部材１１に対して下方向にスライドさせると、図１０（Ｃ）（Ｄ）、図７（Ｃ）に示すと同様に、前記係合孔７６の前記小径孔７９の周縁部分８０が前記係合突部４５の前記係合面４９に圧接された状態となり、これにより、該第２の部材１２が該第１の部材１１に固定状態となる。そしてこの状態で、前記左右の横方向収容凹部４１，４１の開放端８１，８１が該第２の部材１２，１２の左右の縁部分７５，７５によって覆われた状態となる。
【００４６】
このようにして第２の部材１２が第１の部材１１に固定された状態で、図１０（Ｄ）に示すように、下端開放の前記縦方向収容部１９と水平方向に延長する前記横方向収容部２１が形成される。
【００４７】
そして図１６〜１８、図２２に示すように、、前記水平板部１０５の上面の両側に、広告表示部材１１１を保持する保持部１１２が設けられている。該広告表示部材１１１は、図１７に示すように、上に突の半円板状を呈し且つその下端部１１３の中央部分に、前記垂直板部１０７の上部分を嵌め入れるために横長矩形状の欠切部１１５が設けられてなり、該下端部１１３の左右の被保持部１１６，１１６が前記左右の保持部１１２，１１２で保持される。
【００４８】
そして、該広告表示部材１１１の表裏面が広告シール片を貼着するための広告表示面１１７，１１７とされている。
【００４９】
該保持部１１２は、図１８、図２２に示すように、台座１２２に、前記被保持部１１６を前後から弾性的に挟持し得る一対の挟持片１２３，１２５が上向きに突設されてなるもので、本実施例においては、両挟持片１２３，１２５の内面に、前記被保持部１１６を押圧する突部１２４が突設されている。
【００５０】
かかる構成を有する第１の部材１１と第２の部材１２とを用いて、幟竿２の上端側部分に広告補助具１を取り付けるに際しては、先ず、図１１に示すと同様に、前記第１の部材１１の前記幟竿収容凹部３３に前記支柱の上部分１５の半分強の部分３２を嵌め入れると共に、前記取付け具３の半分強の部分３６を前記取付け具収容凹部３９に嵌め入れる。このように嵌め入れた状態で、該支柱の上部分１５の一部（半分弱の部分）６６と前記取付け具３の一部（半分弱の部分）６９が該取付け具収容凹部３９から突出状態になる。その際に、前記支持バー７の、該取付け具３の両側に突出する部分を前記横方向収容凹部４１，４１に嵌め入れる。その後、大径孔７７，７７，７７，７７に前記係合突部４５，４５，４５，４５を嵌め入れるようにして該第２の部材１２の一面（内面）６１を該第１の部材１１の一面（内面）１０９に当接させる。この状態で、前記第２の部材１２の前記幟竿収容凹部６７に前記支柱の上部分１５の半分弱の部分６６が嵌め入れられると共に、前記取付け具３の半分弱の部分６９が前記取付け具収容凹部７１に嵌め入れられた状態となる。
【００５１】
その後、該第２の部材１２を図１２（Ａ）に示すと同様に下方向にスライドさせると、前記首部４６，４６，４６，４６が前記小径孔７９，７９，７９，７９内に存した状態となり、前記のように第２の部材１２が第１の部材１１に固定された状態となる。この状態で、前記幟竿収容凹部３３，６７の内面８３，８５が周方向に連続した状態となると共に、前記取付け具収容凹部３９，７１の内面８６，８７が周方向に連続した状態となる。そして、前記のように、左右の横方向収容凹部４１，４１が該第２の部材１２で覆われた状態となる。これらにより、前記幟竿収容部１６と、前記取付け具収容部１７と、前記横方向収容部２１とが、前記第１の部材１１と前記第２の部材１２間で形成されることになる。
【００５２】
そして、幟竿の上部分１５の外周面８９は、略１２０度の角度ピッチで突設された前記支持突部３５，３５，３５に略当接し得る状態となり、これにより広告補助具１が、風に吹かれて該上部分１５回りに回転できる。
【００５３】
そして、前記広告表示部材１１１の前記左右の被保持部１１６，１１６を前記左右の保持部１１２，１１２に挟持状態で保持させるのであるが、該広告表示部材１１１の表裏の広告表示面１１７，１１７には広告シール片５３が貼着される。該広告シール片５３は、前記広告表示面１１７，１１７の半円弧縁１２０に沿う半円形状を呈し且つ下端部の中央部分に横長矩形状の欠切部９９が設けられている。
【００５４】
広告補助具１を取り外す際は、図１３に矢印で示すと同様にして、前記第２の部材１２を上方向にスライドさせ、各係合突部４５を各大径孔７７内に位置させる。これにより第２の部材１２を第１の部材１１から取り外すことができ、第１の部材１１を幟竿の上端側の部分１０から取り外すことができる。
【００５５】
このように構成したときも、前記実施例１におけると同様の作用により、広告補助具１が幟竿２の軸線回りに回転できる動きを伴うため、より印象的な広告補助作用が得られることになり、幟による広告効果を一層向上させることができる。
【００５６】
図２３〜２５は、広告表示部材１１１の被保持部１１６を保持する保持部１１２が設けられた広告補助具１の他の実施例を示すものであり、第１の部材１１は、上に突で且つ下端１２６が水平縁に形成された例えば円板状の挟持部材１２７の該下端１２６に正方形板状の垂直板部１３０が設けられている。該挟持部材１２７は、図２４〜２５に示すように、台座１３１に、前記被保持部１１６を前後から弾性的に挟持し得る一対の円板状の挟持片１３２，１３３が上向きに突設されてなるもので、該挟持片１３２，１３３は開閉可能に構成されている。一方の挟持片１３２の内面１３５に、前記被保持部１１６に食い込む針状片１３６が突設されている。そして他方の挾持片１３２には、該被保持部１１６を貫通した針状片１３６の先側部分を嵌入させる孔部１３７が設けられている。
【００５７】
そして該垂直板部１３０には、前記と同様の構成で、前記縦方向収容部１９を構成する半割り状部分２９が形成されると共に、前記横方向収容凹部４１，４１が設けられている。該第１の部材１１のその他の構成は前記実施例における場合と同様であり、又、該第１の部材１１に分離可能に合体される第２の部材１２の構成は前記と同様である。図２５は、円板状を呈する前記広告表示部材１１１の被保持部１１６が前記保持部１１２で挟持状態に保持された状態を示すものである。
【００５８】
このように構成するときも、広告シール片５３を広告表示部材１１１に貼着する際の貼着作業をより正確に行い得るように、位置決め用の突部を設けるのがよい。
【実施例３】
【００５９】
本考案は、前記実施例で示したものに限定されるものでは決してなく、「実用新案登録請求の範囲」の記載内で種々の設計変更が可能であることはいうまでもない。その一例を挙げれば次のようである。
【００６０】
(1) 図２６〜２７は、前記第１の部材１１に対して前記第２の部材１２を、上下方向で開閉可能に蝶番部１３７を介して連結した態様を示すものである。
図２８は、該第２の部材１２が上方向に回動されて、前記縦方向収容部１９と前記横方向収容部２１が開放された状態を示している。又図２７、図２９は、該第２の部材１２が下方向に回動されて垂下状態となり、該第２の部材１２が回動止着具１３９を介して第１の部材１１に凹凸の係合によって止着された状態を示している。該回動止着具１３９は、その先端部分に設けられたレバー片１４２によって回動操作される。該第１の部材１１と該第２の部材１２のその他の構成は前記実施例におけると同様であるため、その具体的説明は省略する。
又図２６は、かかる構成を有する広告補助具１が幟竿２の上端側の部分に取り付けられることにより、幟装置９に広告補助具１が装着された状態を示すものである。
【００６１】
(2) 図３０は、前記支持バー７の中間部分２０を収容する前記横方向収容部２１を、第１の部材１１に設けられた横方向収容凹部４１ａと第２の部材１２に設けられた横方向収容凹部４１ｂとの合体によって形成する場合を示している。
又図３１は、第２の部材１２側に、前記支持バー７の中間部分２０の全体を収容させる横方向収容凹部４１を設けた場合を示している。
【００６２】
(3) 本考案に係る広告補助具１は、前記したように幟が幟竿の軸線回りに回転する幟装置に対しての他、幟が幟竿の軸線回りに回転しないように固定状態に設けられてなる幟装置（例えば室内で使用される幟装置等）に対しても使用できる。このように固定状態で設けられるときは、前記広告表示部２２や前記広告表示部材１１１に設けられる広告面は、その表裏の一方だけであることもある。
【００６３】
(4) 前記広告表示部材１１１を保持する手段は、これを安定状態で保持し得る各種の公知手段を採用できる。
【００６４】
(5) 前記広告表示部材１１１は、前記第１の部材１１と前記第２の部材１２との協働によって構成されることもある。又、前記広告表示部材１１１を保持する前記保持部１１２を、前記第１の部材１１と前記第２の部材１２との協働によって構成することもある。
【００６５】
(6) 本考案に係る広告補助具１において、前記取付け具３の形状は、前記支持バー７を取り付けることができる限り、その構成は問わない。
【００６６】
(7) 前記幟竿収容部１６に設ける前記支持突部３５は、省略されることもある。
【００６７】
(8) 前記広告表示部２２や前記広告表示部材１１１は、幟５による広告で表現しきれない部分を補って幟による広告効果の向上をもたらすものであり、その大きさやその形態は、幟の広告表示との関係で所要に設定される。又、該広告表示部２２や該広告表示部材１１１が風を受けた場合の抵抗を考慮して設定される。例えば、四角形状や台形状、円形状、星形状、動物や花の形状、自動車の形状等、各種形状のものに構成でき、又、立体的なものであってもよい。
【図面の簡単な説明】
【００６８】
【図１】本考案に係る広告補助具をその使用状態で示す斜視図である。
【図２】その拡大斜視図である。
【図３】広告補助具を説明する分解斜視図である。
【図４】広告補助具を幟竿の上端側の部分に装着した状態を示す断面図である。
【図５】第１の部材を示す斜視図である。
【図６】幟竿収容部に幟竿の上部分を収容した状態を示す断面図である。
【図７】係合突部の構成とその係合状態を示す断面図と正面図である。
【図８】広告補助具を示す正面図と背面図である。
【図９】第２の部材を示す斜視図である。
【図１０】第１の部材に第２の部材を取り付ける作業工程を説明する説明図である。
【図１１】第１の部材の幟竿収容凹部に幟竿の上部分を嵌め入れると共に取付け具収容凹部に取付け具を嵌め入れた状態を示す斜視図と断面図である。
【図１２】第１の部材の係合突部を第２の部材の係合孔の大径孔に嵌め入れた状態を示す斜視図と断面図である。
【図１３】第１の部材に第２の部材を取り付けた状態を示す斜視図と断面図である。
【図１４】横方向収容部に支持バーを収容した状態を示す断面図である。
【図１５】広告表示部に広告を表示した一例を示す正面図である。
【図１６】本考案に係る広告補助具の他の実施例をその使用状態で示す斜視図である。
【図１７】その広告補助具の分解斜視図である。
【図１８】第１の部材を示す斜視図である。
【図１９】広告補助具を幟竿の上端側の部分に装着した状態を示す断面図である。
【図２０】幟竿収容凹部に幟竿の上部分を収容した状態を示す断面図である。
【図２１】第２の部材を示す斜視図である。
【図２２】広告表示部材を第１の部材の保持部で保持した状態を示す断面図である。
【図２３】本考案に係る広告補助具のその他の実施例をその使用状態で示す斜視図である。
【図２４】その広告補助具を幟竿の上端側の部分に装着した状態を示す断面図である。
【図２５】その広告補助具の保持部で広告表示部材を保持した状態を示す断面図である。
【図２６】本考案に係る広告補助具のその他の実施例をその使用状態で示す斜視図である。
【図２７】その部分斜視図である。
【図２８】その広告補助具を、第２の部材を開いた状態で示す斜視図である。
【図２９】第１の部材に第２の部材を取り付けた状態を示す断面図である。
【図３０】支持バーを収容する横方向収容凹部の他の態様を示す断面図である。
【図３１】支持バーを収容する横方向収容凹部のその他の態様を示す断面図である。
【図３２】従来の幟装置を示す斜視図である。
【図３３】従来の広告補助具をその使用状態で示す断面図である。
【符号の説明】
【００６９】
１  広告補助具
２  幟竿
３  取付け具
５  幟
７  支持バー
９  幟装置
１１  第１の部材
１２  第２の部材
１５  幟竿の上部分
１６  幟竿収容部
１７  取付け具収容部
１９  縦方向収容部
２０  支持バーの中間部分
２１  横方向収容部
２２  広告表示部
３３  幟竿収容凹部
３５  支持突部
３９  取付け具収容凹部
４１  横方向収容凹部
４５  係合突部
５３  広告シール片
５５  広告表示面
５６  位置決め下突部
５９  位置決め側部突部
６７  幟竿収容凹部
７６  係合孔
７７  大径孔
７９  小径孔
９３  広告表示面
１１１  広告表示部材
１１２  保持部
１１６  被保持部
１１７  広告表示面
【図１】
0003144983.tif 000003
【図２】
0003144983.tif 000004
【図３】
0003144983.tif 000005
【図４】
0003144983.tif 000006
【図５】
0003144983.tif 000007
【図６】
0003144983.tif 000008
【図７】
0003144983.tif 000009
【図８】
0003144983.tif 000010
【図９】
0003144983.tif 000011
【図１０】
0003144983.tif 000012
【図１１】
0003144983.tif 000013
【図１２】
0003144983.tif 000014
【図１３】
0003144983.tif 000015
【図１４】
0003144983.tif 000016
【図１５】
0003144983.tif 000017
【図１６】
0003144983.tif 000018
【図１７】
0003144983.tif 000019
【図１８】
0003144983.tif 000020
【図１９】
0003144983.tif 000021
【図２０】
0003144983.tif 000022
【図２１】
0003144983.tif 000023
【図２２】
0003144983.tif 000024
【図２３】
0003144983.tif 000025
【図２４】
0003144983.tif 000026
【図２５】
0003144983.tif 000027
【図２６】
0003144983.tif 000028
【図２７】
0003144983.tif 000029
【図２８】
0003144983.tif 000030
【図２９】
0003144983.tif 000031
【図３０】
0003144983.tif 000032
【図３１】
0003144983.tif 000033
【図３２】
0003144983.tif 000034
【図３３】
0003144983.tif 000035